(57)【要約】本発明はデータのセグメンテーションと連結方法を開示している。キーポイントとして、当該方法は、現在のプロトコルデータユニットPDUにカプセル化しようとするサービスデータユニットSDU情報の所属するSDUのタイプと現在のPDUにカプセル化したSDU情報の所属するSDUのタイプが同じであるか否かを判断し、同じである場合、カプセル化しようとするSDU情報を現在のPDUにカプセル化して送信し、同じでない場合、カプセル化しようとするSDU情報をほかのPDUにカプセル化して送信することを含む。本発明は同時にデータ再構成方法と送信機を開示している。本発明のデータのセグメンテーションと連結と再構成を実現する方法及び送信機を使用すると、受信側の不必要な繰り返し再構成を回避することができ、エラー発生の可能性があるデータに対して再構成を行わないように受信側にさせ、情報伝送の信頼性を高める。
2008522513.tif 000002
【特許請求の範囲】
【請求項１】
データのセグメンテーションと連結の方法であって、
第１プロトコルデータユニット（PDU）にカプセル化しようとするサービスデータユニット（SDU）情報のタイプが第１PDUにカプセル化されているSDU情報のタイプと同じであるか否かを判断し、同じである場合、カプセル化しようとするSDU情報を第１PDUにカプセル化して送信し、同じでない場合、現在カプセル化しようとするSDU情報を第２PDUにカプセル化して送信する、ことを含むことを特徴とする方法。
【請求項２】
前記SDU情報はSDUの１つのセグメント、或いはSDU終了位置標識、或いは両者の組み合せを含む、ことを特徴とする請求項１記載の方法。
【請求項３】
カプセル化しようとするSDU情報のタイプがカプセル化されているSDU情報のタイプと同じでない場合、既に送信したPDUに含まれているSDU情報と同じタイプのSDU情報を含む第１PDUを送信し、または、既に送信したPDUに含まれているSDU情報と異なるタイプのSDU情報を含む第２PDUを送信することをさらに含む、ことを特徴とする請求項１記載の方法。
【請求項４】
前記第１PDUにパディングビットをカプセル化することをさらに含む、ことを特徴とする請求項１記載の方法。
【請求項５】
前記第１PDUにカプセル化しようとするSDU情報は第２タイプSDUの１つのセグメントであり、前記第１PDUにカプセル化されているSDU情報は第１タイプSDUの終了位置標識である、ことを特徴とする請求項１記載の方法。
【請求項６】
前記第１タイプSDUの終了位置標識は、前記第１タイプSDUの終了位置標識がカプセル化されている第１PDUの第１長さ指示子フィールドの値である、ことを特徴とする請求項５記載の方法。
【請求項７】
前記第１タイプSDUの終了位置標識を含む第１PDUを、第２タイプSDUの第１セグメントを含む第２PDUより先に送信し、または、まず第２タイプSDUのセグメントを含む全部のPDUを送信した後、第１タイプSDUの終了位置標識を含む第１PDUを送信する、ことを特徴とする請求項５記載の方法。
【請求項８】
前記第１タイプSDUの終了位置標識を含む第１PDUにパディングビットをカプセル化し、或いは、前記第１タイプSDUの終了位置標識を含む第１PDUにほかの第１タイプSDUの１つのセグメントをカプセル化することをさらに含む、ことを特徴とする請求項５記載の方法。
【請求項９】
前記SDU情報は、再伝送する必要があるSDUと再伝送する必要がないSDUとを含む、ことを特徴とする請求項１〜請求項８のいずれか１項に記載の方法。
【請求項１０】
前記SDU情報はMBMS制御情報におけるクリティカルな情報とクリティカルでない情報とを含む、ことを特徴とする請求項１〜請求項８のいずれか１項に記載の方法。
【請求項１１】
前記SDU終了位置標識は長さ指示子フィールドの特別値0000000、或いは長さ指示子フィールドの特別値000000000000000、或いは長さ指示子フィールドの特別値111111111111011を含む、ことを特徴とする請求項２、５、６、７または８に記載の方法。
【請求項１２】
データの再構成の方法であって、
SDU終了位置標識を含む第１PDU内のSDUセグメントが既に再構成されたか否かを判断し、再構成された場合、前記SDU終了位置標識を含む第１PDU内のSDUセグメントに対する再構成を行わないことを含む、ことを特徴とするこの方法。
【請求項１３】
SDU終了位置標識を含む第１PDU内のセグメントが既に再構成されたか否かを判断する前に、SDU終了位置標識を含む第１PDUの後に送信した第２PDUを第１PDUの前に既に受信したか否かを判断し、第２PDUを第１PDUの前に既に受信した場合、第１PDU内のSDUセグメントに対する再構成を行わないことをさらに含む、
ことを特徴とする請求項１２に記載の方法。
【請求項１４】
前記SDU終了位置標識は長さ指示子フィールドの特別値0000000、或いは長さ指示子フィールドの特別値000000000000000、或いは長さ指示子フィールドの特別値111111111111011を含む、ことを特徴とする請求項１２または請求項１３に記載の方法。
【請求項１５】
送信機であって、
サービスデータユニット（SDU）を格納する送信バッファーと、
送信しようとする第１PDUにRLCヘッダを付加するRLCヘッダ追加処理手段と、
異なるタイプのSDU情報を異なるPDUにカプセル化して送信する原則によって、受信したSDUに対してセグメンテーションと連結処理を行ってPDUに構成するセグメンテーションと連結処理手段とを含む、
ことを特徴とする送信機。
【請求項１６】
前記SDU情報はSDUの１つのセグメント、或いはSDU終了位置標識、或いは両者の組み合せを含む、ことを特徴とする請求項１５に記載の方法。
【発明の詳細な説明】
【技術分野】
【０００１】
本発明は、情報伝送技術に関し、特にデータのセグメンテーションと連結と再構成（Reassemble）を実現する方法及び送信機に関するものである。
【背景技術】
【０００２】
第３世代モバイル通信技術の発展に伴って、人々はモバイル通信に対しての需要として既に音声サービスに満足できない。第３世代モバイル通信は第２世代モバイル通信よりもっと高いデータレートのサービスを提供することができるため、マルチメディアサービス、例えば、ビデオ電話、ピクチャーのダウンロード、Internetネットワークの高速ブラウズなどのサービスが大量に出現してきている。その中で、一部の応用サービス、例えば、ビデオ・オン・デマンド（VOD：Video-On-Demand）、テレビ放送、ビデオ会議、オンライン教育、インタラクティブゲームなどでは、複数のユーザが同じデータを同時に受信できることが要求される。
【０００３】
モバイル通信ネットワークの資源を有効的に利用するため、第３世代モバイル通信ではマルチキャストとブロードキャストという概念が導入されている。マルチキャストとブロードキャストは１つのデータソースから複数の宛先へデータを伝送する技術である。具体的には、WCDMA/GSMグローバル標準化団体第３世代パートナーシッププロジェクト（3GPP：3rd Generation Partnership Project）はマルチメディアブロードキャスト・マルチキャストサービス（MBMS：Multimedia Broadcast/Multicast Service）を提出している。MBMSとは、モバイル通信ネットワークにおいて１つのデータソースから複数のユーザにデータを送信するポイント・ツー・マルチポイントサービスを提供することによって、ネットワーク資源の共有を実現し、ネットワーク資源、とりわけエアインターフェース資源の利用率を高めることである。3GPPによって定義されたMBMSでは、プレーンテキストの、低いレートのメッセージ類のマルチキャストとブロードキャストを実現できるだけでなく、高速なマルチメディアサービスのマルチキャストとブロードキャストも実現することができる。
【０００４】
図１は、ブロードキャスト・マルチキャストサービスをサポートする無線ネットワーク構成を示す図である。図１に示すように、従来の3GPPシステムにおいて、ブロードキャスト・マルチキャストサービスをサポートする無線ネットワークエンティティはブロードキャスト・マルチキャストサービスセンター（BM-SC）101である。BM-SC 101はGmbインターフェース又はGiインターフェースを通じて、TPFゲートウエイ GPRSサポートノード（GGSN：Gateway GPRS Support Node）102に接続される。１つのBM-SC 101は複数のTPF GGSN 102に接続されることができる。TPF GGSN 102はGn/Gpインターフェースを通じて、サービスGPRSサポートノード（SGSN：Serving GPRS Support Node）103に接続される。１つのGGSN 102は複数のSGSN 103に接続されることができる。SGSN 103はIuインターフェースを通じて、ユニバーサルモバイル通信システム（UMTS）地上無線アクセスネットワーク（UTRAN）104に接続されることができる。次に、UTRAN 104はUuインターフェースを通じて、ユーザ端末（UE）106に接続される。SGSN 103はIu/Gbインターフェースを通じて、グローバルモバイル通信システム（GSM）無線アクセスネットワーク（GERAN：GSM/EDGE Radio Access Network）105に接続されることもできる。次に、GERAN 105はUmインターフェースを通じて、UE 107に接続される。そのうち、GGSNとSGSNは無線ネットワークのコアネットワーク（CN）内のノードに属する。
【０００５】
図１に示すネットワーク構成からわかるように、MBMSサービスをサポートするため、モバイルネットワーク機能エンティティであるブロードキャスト・マルチキャストサービスセンターBM-SCを第３世代モバイル通信システムに追加した。前記BM-SCはコンテンツプロバイダの入り口であり、オーソリゼーション（authorization）とモバイルネットワークにおいてMBMSベアラサービスを開始することとに用いられ、また予定時間計画によってMBMSコンテンツを伝送する。そのほか、MBMSに関する機能をUE、UTRAN、GERAN、SGSN、GGSNなどの機能エンティティに追加した。
【０００６】
MBMSは、マルチキャストモードとブロードキャストモードを含む。そのうち、マルチキャストモードでは、ユーザが相応のマルチキャストグループにサブスクリプションしてサービスのアクティブ化を行い、且つ相応の課金情報を生み出すことが必要である。図２と図３に示すように、マルチキャストモードとブロードキャストモードはサービスニーズにおいて異なるところがあるため、それぞれのサービスプロセスも異なる。図２はMBMSマルチキャストモードのサービスプロセスを示す図であり、図３はMBMSブロードキャストモードのサービスプロセスを示す図である。
【０００７】
図２に示すように、MBMSマルチキャストサービスに関わる処理プロセスは、所要するMBMSサービスをユーザに予め購読させるサブスクリプション（Subscription）プロセスと、BM-SCから現在提供できるサービスを宣告するサービス宣告（Service announcement）プロセスと、ユーザ加入（Joining）プロセス即ちMBMSマルチキャストサービスのアクティブ化プロセスと、BM-SCはデータ伝送の用意を整えて相応のコアネットワークとアクセスネットワークとのベアラ資源を確立することをネットワークに通知するセッションスタート（Session Start）プロセスと、UE MBMSマルチキャストセッションがまもなくスタートされることを通知するMBMS通知（MBMS notification）プロセスと、データ伝送（Data transfer）プロセスと、セッションスタートプロセスで確立されたベアラ資源を解放するセッション終了（Session Stop）プロセスと、グループ内の購読ユーザをマルチキャストグループから離れさせ、即ちユーザがマルチキャストデータを再び受信しないようにし、相応のMBMS UEコンテキストを削除するユーザ退出（Leaving）プロセスとを含む。
【０００８】
前記ユーザ加入プロセスにおいて、UEは自分が現在のマルチキャストグループのメンバーになりたいことをネットワークに通知して、対応するサービスのマルチキャストデータを受信する。ネットワークと、マルチキャストグループに加入したUEとにおいてUE情報を記録するMBMS UEコンテキストが当該加入プロセスによって作成される。
【０００９】
前記データ伝送プロセスにおいて、BM-SCはセッションスタートプロセスで確立されたベアラ資源によってデータをUEに伝送する。MBMSサービスがUTRANとUEとの間で伝送されるとき、ポイント・ツー・マルチポイント（PTM）モードとポイント・ツー・ポイント（PTP）モードという２つのモードがある。前記PTMモードにおいて、MBMSポイント・ツー・マルチポイントトラヒックチャネル（MTCH）を通じて送信した同じデータは、マルチキャストサービスに加入したまたはブロードキャストサービスに関心のあるUEの各々に受信されることができる。前記PTPモードにおいて、個別トラヒックチャネル（DTCH）を通じて送信したデータは、相応の１つのUEだけに受信されることができる。
【００１０】
図３に示すように、MBMSブロードキャストサービスに関わる処理プロセスはMBMSマルチキャストサービスと類似しているが、ただセッションスタートの前、サブスクリプションプロセスとユーザ加入プロセスを行うことと、セッション終了の後、ユーザ退出プロセスを行うことは不要である。
【００１１】
MBMS PTM伝送モードにおいて、サービス情報、アクセス情報、無線ベアラ情報、周波数層コンバージェンス（FLC：Frequency Layer Convergence）情報等を含む関連する無線制御情報のすべては、無線資源制御（RRC）層によってロジックチャネル、例えばMBMSポイント・ツー・マルチポイント制御チャネル（MCCH）経由で送信される。MCCH情報は固定的なスケジューリング方式に基づいて伝送される。また、信頼性を高めるために、UTRANはMCCH情報を繰り返す。図４はMCCH情報の伝送スケジューリングを示す図である。図４に示すように、すべての角形は全部MCCH情報であり、MCCH情報を繰り返して送信する周期は繰り返し周期である。完全なMCCH情報は繰り返し周期で周期的に送信される。修正周期は繰り返し周期の整数倍と定義され、修正周期ごとにMCCH情報に対して修正を行う。MBMSのアクセス情報はアクセス情報周期で周期的に送信されることができ、且つアクセス情報周期は繰り返し周期を整数分割したものである。
【００１２】
MCCH情報はまたクリティカルな情報（Critical Info）とクリティカルでない情報に分かれている。そのうち、クリティカルな情報は、MBMS隣接セル情報、MBMSサービス情報、MBMS無線ベアラ情報からなり、且つ周期的に繰り返して送信される必要のある情報であり、繰り返し周期ごとに送信される内容は変わりなく、修正周期でMCCH情報が第１回送信されるとき以外は修正されることができない。クリティカルでない情報は、アクセス情報を指し、周期的に繰り返して送信される必要のない情報であり、いかなる時間にも修正されることができる。図４において黒い角形はクリティカルでない情報であり、白い角形はクリティカルな情報であり、それぞれスラッシュとバックスラッシュが付いている角形は内容の変化があるクリティカルでない情報とクリティカルな情報である。
【００１３】
MCCHのプロトコルスタックの構成は図５に示すように、MCCHのプロトコルユニットが上から下まで順にRRC層、無線リンク制御層（RLC）、媒体アクセス制御層（MAC）、物理層（PHY）である。そのうち、MAC層ロジックチャネルと物理層FACHチャネルとのマッピング関係は図６に示すとおりである。従来のシステムにおいて、MCCH情報即ちMBMSの制御情報は全部フォワードアクセスチャネル（FACH：Forward Access Channel）にマッピングされて送信される。RLC層は非確認モード（UM）によってMCCH情報を伝送する。従来の技術においてUMモードのデータ伝送プロセスは図７に示すとおりである。MBMS制御情報の伝送方法には、主に送信側（Sender）RLC UMエンティティの送信プロセス及び受信側（Receiver）RLC UMエンティティの受信プロセスが含まれる。伝送周期ごとに１つまたは幾つかのプロトコルデータユニット（PDU）を送信することができる。MACは各伝送周期内のPDUのサイズと数を決定する。
【００１４】
従来の非確認モードデータ・プロトコルデータユニット（UMD PDU）の送信プロセスにおいて、送信側RLC UMエンティティが上位層の非確認モードデータ伝送請求を受信した後、送信側は上位層から受信したRLCサービスデータユニット（SDU）をスケジューリングして送信する。１つ又は複数のRLC SDUが既にスケジューリングされて送信されていれば、RLC UMエンティティは、まずSDUの数とサイズを含むデータを上位層から受信することを下位層に通知し、そして下位層によって指示されたPDUサイズに基づいてSDUをセグメンテーションし、できれば連結も行い、その後シーケンス番号フィールドをVT(US)に設定し、UMD PDU内で終了している各SDUのために長さ指示子フィールドを設定し、最後に、要求された数のUMD PDUを下位層即ちMAC層に提出し、且つ下位層に提出した各UMD PDUのためにVT(US)を更新する。同時に、下位層に提出されていないSDUをバッファリングする。
【００１５】
UMD PDUの受信プロセスにおいて、受信側RLC UMエンティティは、下位層から１組のUMD PDUを受信した後、当該UMD PDUに基づいてVR(US)を更新する。VR(US)の更新ステップサイズが１に等しくなければ、失ったUMD PDUにおけるセグメンテーションされたSDUを捨て、それでなければ、受信したUMD PDUをRLC SDUに再構成し、且つ再構成した後のRLC SDUを上位層即ちRRC層に提出する。
【００１６】
ここで、UMD PDUのフォーマットは表１に示すとおりである。
【００１７】
【表１】
2008522513.tif 000003
【００１８】
RLCプロトコルUMD PDUのフォーマットにおいて、長さ指示子（LI：Length Indicator）が当該PDU内のRLC SDUの終了位置を示している。LIは、一部の予め定義された特別値を除いて、UMD PDU内のRLCヘッダの終了位置から本PDU内のRLC SDUの最後の１バイトまでのバイト数を表示する。LIは７ビット或いは１５ビットである。UMモードについては、最大なUMD PDUサイズ≦１２５バイトであれば、７ビットのLIを使用し、ほかの場合に１５ビットのLIを使用する。７ビットLIと１５ビットLIの各特別値の意味は表２と表３に示すとおりである。表２は７ビットLIの各特別値の意味説明であり、表３は１５ビットLIの各特別値の意味説明である。
【００１９】
【表２】
2008522513.tif 000004
【表３】
2008522513.tif 000005
【００２０】
従来の技術において、RLCに対してSDUアウト・オブ・シーケンス伝送機能を追加している。アウト・オブ・シーケンス伝送機能とは、既に送信されたPDUに対して、指示によっていずれか1つの指定したPDUを再伝送することができることである。実際の処理において、クリティカルな情報のみにアウト・オブ・シーケンス伝送機能を応用することができる。その原因として、クリティカルな情報は、繰り返し周期毎に同じ内容が送信され、前の繰り返し周期内の伝送エラー又は失った情報が後の繰り返し周期に伝送する情報によって回復されることができる。クリティカルでない情報にはアウト・オブ・シーケンス伝送機能を応用することができない。
【００２１】
具体的には、従来の技術ではアウト・オブ・シーケンス伝送機能を実現するため、以下のことを満足することを送信側に要求する。（１）RRCは提供されたSDUがクリティカルな情報であるかそれともクリティカルでない情報であるかをRLCに指示する必要がある。RLCはクリティカルな情報のSDUとクリティカルでない情報のSDUとを１つのRLC PDU内に連結することができない。（２）クリティカルな情報を含むPDUは送信された後でRLCに格納される。格納されたPDUのシーケンス番号は再度使用されることができない。RRCはすべての格納されたPDUsを再伝送することを要求することができる。（３）RRCは各修正周期のスタートにRLC UMエンティティを再構成する必要がある。同時に、以下のことを満足するのを受信側に要求する。（１）RLCは１つのPDUを受信するたびに、関連するSDUsに再構成してみる必要がある。当該シーケンス番号のPDUが既に格納されたら、当該PDUを捨てる。（２）RRCは各修正周期のスタートにRLC UMエンティティを再構成する必要がある。
【００２２】
上記の要求に基づいて、アウト・オブ・シーケンス伝送機能を実現した後、UMD PDUの送信プロセスはアウト・オブ・シーケンス伝送機能を実現する前のと大体同じである。主な区別は以下のとおりである。上位層はアウト・オブ・シーケンス機能をサポートするSDUごとに対して格納指示子を設定する。送信側は処理するとき、格納指示子を持っているSDUと格納指示子を持っていないSDUとを同じPDU内に連結することができない。且つ送信側RLC UMエンティティが請求された数のUMD PDUを下位層に提出するとき、現在処理しているPDUに格納指示子が含まれているか否かという判断を追加する必要がある。含まれていれば、現在のPDUを格納し、含まれていなければ、正常の処理プロセスによって行う。
【００２３】
それに応じて、UMD PDUの受信プロセスは以下のとおりになる。受信側RLC UMエンティティは、下位層から１組のUMD PDUを受信した後、シーケンス番号順に各PDUを処理し、受信したPDUのシーケンス番号と同じPDUが既に格納されれば、受信した当該PDUを捨て、それでなければ、シーケンス番号順に当該PDUを格納し、且つ受信したUMD PDUをRLC SDUに再構成し、そして、RLC SDUを上位層に提出する。
【００２４】
前記送信プロセスにおいて、SDUの最後のセグメントの末尾がちょうどPDUの末尾にあり、且つ当該SDUの終了を指示する長さ指示子フィールドがない時、次のPDU内の第１長さ指示子フィールドは特別な長さ指示子フィールド値“0000000”或いは“000000000000000”或いは“111111111111011”を当該SDUの終了位置の標識として用いる必要がある。以下、特別な長さ指示子フィールド値“0000000”或いは“000000000000000”或いは“111111111111011”がSDU終了位置標識と呼ばれる。
【発明の開示】
【発明が解決しようとする課題】
【００２５】
従来のプロトコルによって、データフィールドをちょうどいっぱいにし、且つ不必要な充填を回避するため、SDUの最後のセグメントと次のSDUの第１セグメントとを一緒に連結することが要求されているが、アウト・オブ・シーケンス伝送機能を導入した後、クリティカルな情報SDUとクリティカルでない情報SDUとが１つのPDUに連結されないことも要求されている。それなら、前に送信したSDUはクリティカルな情報SDUであり、続いて送信しようとするSDUはクリティカルでない情報SDUであれば、従来のプロトコルではクリティカルな情報SDU終了位置標識を含むPDUにクリティカルでない情報SDUのセグメントが含まれることができるか否かを規定していない。
【００２６】
クリティカルな情報SDU終了位置標識を含むPDUにクリティカルでない情報SDUのセグメントが含まれることができるか否かを明確に規定していないため、実際の応用において２つの可能な実現方法があり、つまり、異なるメーカーのRNCデバイスにとって、クリティカルな情報SDU終了位置標識を含むPDUにクリティカルでない情報SDUのセグメントが含まれているものもあれば、クリティカルでない情報SDUのセグメントが含まれていないものもある。
【００２７】
クリティカルな情報SDU終了位置標識を含むPDUにクリティカルでない情報SDUのセグメントが含まれているとき、当該PDUが再伝送される必要があるため、従来の受信側の処理によっては、繰り返したクリティカルでない情報が上位層に提出される可能性がある。
【００２８】
そこで、本発明は上記の事情に鑑みてなされたものであり、受信側が不必要な繰り返し再構成を行うことを回避できることにより、情報伝送の信頼性を高める、データのセグメンテーションと連結の方法を提供することを主な目的とする。
【００２９】
本発明は、エラー発生の可能性があるデータに対して再構成を行わないように受信側にさせる、データの再構成方法を提供することを他の目的とする。
【００３０】
本発明はまた前記データのセグメンテーションと連結の方法を実現する送信機を提出する。
【課題を解決するための手段】
【００３１】
上記目的を達成するため、本発明の技術方案は下記のように実現されるものである。
【００３２】
データのセグメンテーションと連結の方法であって、当該方法は、
第１プロトコルデータユニット（PDU）にカプセル化しようとするサービスデータユニット（SDU）情報のタイプが第１PDUにカプセル化されているSDU情報のタイプと同じであるか否かを判断し、同じである場合、カプセル化しようとするSDU情報を第１PDUにカプセル化して送信し、同じでない場合、現在カプセル化しようとするSDU情報を第２PDUにカプセル化して送信することを含む。
【００３３】
ここで、前記SDU情報はSDUの１つのセグメント、或いはSDU終了位置標識、或いは両者の組み合せを含む。
【００３４】
上記方案において、カプセル化しようとするSDU情報のタイプがカプセル化されているSDU情報のタイプと同じでない場合、既に送信したPDUに含まれているSDU情報と同じタイプのSDU情報を含む第１PDUを送信し、または、既に送信したPDUに含まれているSDU情報と異なるタイプのSDU情報を含む第２PDUを送信することをさらに含む。
【００３５】
当該方法は、前記第１PDUにパディングビットをカプセル化することをさらに含む。
【００３６】
上記方案において、前記第１PDUにカプセル化しようとするSDU情報は第２タイプSDUの１つのセグメントであり、前記第１PDUにカプセル化されているSDU情報は第１タイプSDUの終了位置標識である。ここで、前記第１タイプSDUの終了位置標識は、前記第１タイプSDUの終了位置標識がカプセル化されている第１PDUの第１長さ指示子フィールドの値である。前記第１タイプSDUの終了位置標識を含む第１PDUを、第２タイプSDUの第１セグメントを含む第２PDUより先に送信し、または、まず第２タイプSDUのセグメントを含む全部のPDUを送信した後、第１タイプSDUの終了位置標識を含む第１PDUを送信する。それなら、当該方法は、前記第１タイプSDUの終了位置標識を含む第１PDUにパディングビットをカプセル化し、或いは、前記第１タイプSDUの終了位置標識を含む第１PDUにほかの第１タイプSDUの１つのセグメントをカプセル化することをさらに含む。
【００３７】
上記方案において、前記SDU情報は、再伝送する必要があるSDUと再伝送する必要がないSDUとを含む。前記SDU情報はMBMS制御情報におけるクリティカルな情報とクリティカルでない情報とを含む。前記SDU終了位置標識は長さ指示子フィールドの特別値0000000、或いは長さ指示子フィールドの特別値000000000000000、或いは長さ指示子フィールドの特別値111111111111011を含む。
【００３８】
本発明はまたデータの再構成方法を提供している。当該方法は、SDU終了位置標識を含む第１PDU内のSDUセグメントが既に再構成されたか否かを判断し、再構成された場合、前記SDU終了位置標識を含む第１PDU内のSDUセグメントに対する再構成を行わないことを含む。
【００３９】
上記方案において、当該方法は、SDU終了位置標識を含む第１PDU内のセグメントが既に再構成されたか否かを判断する前に、SDU終了位置標識を含む第１PDUの後に送信した第２PDUを第１PDUの前に既に受信したか否かを判断し、第２PDUを第１PDUの前に既に受信した場合、第１PDU内のSDUセグメントに対する再構成を行わないことをさらに含む。
【００４０】
ここで、前記SDU終了位置標識は長さ指示子フィールドの特別値0000000、或いは長さ指示子フィールドの特別値000000000000000、或いは長さ指示子フィールドの特別値111111111111011を含む。
【００４１】
本発明はまた送信機を提供している。当該送信機は、サービスデータユニット（SDU）を格納する送信バッファーと、送信しようとする第１PDUにRLCヘッダを付加するRLCヘッダ追加処理手段とを含む。キーポイントは次のとおりである。当該送信機は、異なるタイプのSDU情報を異なるPDUにカプセル化して送信する原則によって、受信したSDUに対してセグメンテーションと連結処理を行ってPDUに構成するセグメンテーションと連結処理手段を含む。
【発明の効果】
【００４２】
本発明によって提供されたデータのセグメンテーションと連結と再構成を実現する方法及び送信機において、送信側は異なるタイプのSDU及び関連する情報をそれぞれ異なるPDUにカプセル化して送信し、又は、受信側はSDU終了位置標識を含むPDUに対して特別な処理を行う。これにより、受信側が不必要な繰り返し再構成を行うことを防ぎ、受信側がエラー発生の可能性があるデータに対して再構成を行うことを回避することができる。それゆえに、RLC UMエンティティにおいて処理のエラーを招く可能性がある情報を下位層が上位層に提出する問題、例えば、同じアクセス情報を上位層に繰り返して提出することを回避し、さらに情報伝送の信頼性を高め、RLC UMエンティティによるデータへの正常処理を保証している。
【００４３】
本発明は、いろいろな実現方式を提供することができる。柔軟且つ簡単便利に実現できる。なお、本発明の方法はMBMS情報の伝送のみに限られるものでなく、RLC UMエンティティがデータ伝送を完成する必要のある環境さえであれば上記の実現方案を採用することができるので、適用範囲がさらに広い。
【発明を実施するための最良の形態】
【００４４】
本発明の中心的な考え方において、送信側はデータのセグメンテーションと連結を行う時、異なるタイプSDUに属するSDU情報をそれぞれ異なるPDUにカプセル化して送信し、または、受信側はデータを再構成するとき、SDU終了位置標識を含むPDUに対して特別な処理を行い、既に再構成されたSDUセグメントが再度再構成されることを許さないことによって、受信側が不必要な繰り返し再構成を行わないことを保証する。
【００４５】
本発明において、送信側だけが特別なデータのセグメンテーションと連結処理を行い、受信側が従来技術の正常な処理プロセスによって処理を行うことができる。この場合に、送信側がデータのセグメンテーションと連結を行うプロセスは図８に示すように、以下のステップを含む。
【００４６】
ステップ801〜803で、RLC UMエンティティは現在のPDUにカプセル化しようとするSDU情報と現在のPDUにカプセル化したSDU情報が異なるタイプに属するか否かを判断し、それであれば、現在カプセル化しようとするSDU情報をほかのPDUにカプセル化して送信し、それでなければ、現在カプセル化しようとするSDU情報を現在のPDUにカプセル化して送信する。ここで、前記SDU情報はSDUの１つのセグメントであり、或いは送信したばかりのSDUのSDU終了位置標識であり、或いは両者の組み合せである。
【００４７】
カプセル化しようとするSDU情報と既にカプセル化したSDU情報がそれぞれあるタイプのSDUのSDU終了位置標識と他のタイプのSDUの１つのセグメントであることを例とすれば、具体的な処理プロセスは以下のとおりである。現在のSDUの最後のセグメントの送信が完了したが、SDU終了位置標識が送信されていないとき、他のタイプのSDUを受信したか否かを判断する。それであれば、現在のSDUのSDU終了位置標識と受信した他のタイプのSDUの１つのセグメントとをそれぞれ異なるPDUにカプセル化して送信し、且つSDU終了位置標識を所属するPDUの第１長さ指示子フィールドの値に設定する。それでなければ、現在のSDUの最後のセグメントを含むPDUの直後のPDUにおける第１長さ指示子フィールドの値をSDU終了位置標識に設定し、そして送信する必要がある次のSDUのセグメントを順にカプセル化する。
【００４８】
ここで、前記異なるタイプのSDUはクリティカルな情報SDUとクリティカルでない情報SDUであっていい。以下、クリティカルな情報SDUとクリティカルでない情報SDUだけを例として詳しく説明する。
【００４９】
[実施例１]
本実施例において、送信側がデータのセグメンテーションと連結を行う時、クリティカルでない情報SDUを含むセグメントをクリティカルな情報SDU終了位置標識を含むPDUにカプセル化することが許されない。具体的には、以下のとおりである。
【００５０】
現在送信するクリティカルな情報SDUの最後のセグメントの末尾がちょうどPDUの末尾にあり、且つこのSDUの終わりを指示する長さ指示子フィールドがない時、当該SDUのSDU終了位置標識を次のPDUの第１長さ指示子フィールドにカプセル化し、特別な長さ指示子フィールド値“0000000”或いは“000000000000000”で示す。長さ指示子フィールドの長さが１５ビットであるとき、現在送信するクリティカルな情報SDUの最後のセグメントの末尾が１つのPDUをいっぱいにするにはちょうど１バイトが足りない可能性があり、このとき、当該SDUのSDU終了位置標識を次のPDUの第１長さ指示子フィールドにカプセル化し、特別な長さ指示子フィールド値“111111111111011”で示す。次の送信する必要があるSDUがクリティカルでない情報SDUであれば、当該クリティカルでない情報SDUのセグメントは、前記SDU終了位置標識を含むPDUに含まれて送信されることができなく、当該PDUの直後のPDUにずらされて送信される。前記SDU終了位置標識を含む当該PDUには、パディングビットで充填してもよく、ほかの送信する必要があるクリティカルな情報SDUにスケジューリングしたセグメントをカプセル化してもよい。
【００５１】
具体例を挙げると、現在の送信バッファーには、サイズが120bitsであるSDU1と、サイズが200bitsであるSDU2との２つのクリティカルな情報SDUがあり、各PDUのサイズは固定な128bitsであり、かつTTIごとに１つのPDUを送信する。シーケンス番号10のPDUにSDU1をカプセル化したとする。そのうち、シーケンス番号フィールド（SN）の長さが8bitsであり、Dataフィールドの長さが120bitsであり、当該PDUのフォーマットは表４に示すとおりである。
【００５２】
【表４】
2008522513.tif 000006
【００５３】
当該PDUには、長さ指示子フィールドをカプセル化する空間がちょうどないため、次のPDUには１つの長さ指示子をカプセル化すべきである。つまり、シーケンス番号11のPDUの第１長さ指示子フィールド値を“0000000”に設定する。しかし、次のTTIに、サイズが40bitsである、送信する必要があるクリティカルでない情報SDU3があれば、優先度スケジューリング原則によって、SDU1を送信し終わった後、次に、SDU3を先に送信し、そしてSDU2を送信する。本実施例において、シーケンス番号11のPDUの第１長さ指示子フィールドを“0000000”に設定し、かつ当該PDUにSDU3のセグメントが含まれない。当該PDUにカプセル化されたものは、全部パディングビットであってもよく、同じタイプのSDUの１つのセグメント、例えば、SDU2の第１セグメントであってもよい。
【００５４】
シーケンス番号11のPDUが全部パディングビットを採用するとき、当該PDUのフォーマットは表５に示すとおりである。
【００５５】
【表５】
2008522513.tif 000007
【００５６】
続いてシーケンス番号12のPDUにSDU3をカプセル化し、当該PDUのフォーマットは表６に示すとおりである。
【００５７】
【表６】
2008522513.tif 000008
【００５８】
シーケンス番号11のPDUにSDU2の第１セグメントをカプセル化するとき、当該PDUのフォーマットは表７に示すとおりである。
【００５９】
【表７】
2008522513.tif 000009
【００６０】
続いてシーケンス番号12のPDUにSDU3をカプセル化し、当該PDUのフォーマットは表８に示すとおりである。
【００６１】
【表８】
2008522513.tif 000010
【００６２】
［実施例２］
本実施例は実施例１と大体同じであるが、クリティカルな情報SDUを送信し終わった後、優先的に送信する必要があるクリティカルでない情報があったら、まずクリティカルでない情報SDUを送信し、そしてクリティカルな情報SDU終了位置標識を含むPDUを送信する。やはり実施例１の具体例を挙げる。クリティカルな情報SDU1を送信し終わった後、SDU1終了位置標識を含むPDUをまず送信しなく、続いてクリティカルでない情報SDU3を送信し、SDU3のすべてのセグメントを全部送信し終わった後、SDU1終了位置標識を含むPDUを送信する。
【００６３】
この場合、シーケンス番号11のPDUにカプセル化されたのはSDU3であり、当該PDUのフォーマットは表９に示すとおりである。
【００６４】
【表９】
2008522513.tif 000011
【００６５】
シーケンス番号12のPDUにはSDU1終了位置標識とSDU2の第１セグメントとが含まれ、当該PDUのフォーマットは表１０に示すとおりである。
【００６６】
【表１０】
2008522513.tif 000012
【００６７】
上記２つの実施例は全部送信側が特別なデータのセグメンテーションと連結を如何に行うかに対したものである。送信側が上記処理を行った後、受信側はただ正常な受信と処理を行うだけでよい。本発明はまたほかの方案を提供することができる。送信側はいかなる特別処理も行わなく、つまり、クリティカルな情報SDU終了位置標識とクリティカルでない情報SDUのセグメントとを同一のPDU内にカプセル化することが許されるが、受信側が再構成するときに特別な処理を追加することによって、繰り返し受信を回避する。
【００６８】
当該方案は、具体的に、受信されたPDUに対して繰り返し検出を行い、SDU終了位置標識を含むPDUに対しては、当該PDUに含まれている関連するSDUが既に再構成されたことがあれば、当該PDUがやはりバッファーに保存されており削除されていなくても、当該PDUに含まれているSDUセグメントに対して再度再構成操作を行わないことによって、再構成されたクリティカルでない情報SDUが１回だけ上位層へ伝送されることを保証することを含む。
【００６９】
例を挙げれば、シーケンス番号6、7、8の３つのPDUにクリティカルな情報SDU1のすべてのセグメントをカプセル化し、シーケンス番号９のPDUにSDU1のSDU終了位置標識およびクリティカルでない情報SDU2をカプセル化するとする。正常の場合、受信側は順にシーケンス番号6、7、8、9の４つのPDUを受信した後、再構成を行い、SDU1とSDU2に再構成する。しかし、受信側はまずシーケンス番号6、7、9に対応するPDUを受信した後、シーケンス番号8に対応するPDUを受信するとき、アウト・オブ・シーケンス伝送機能を実現するため、受信側はPDUを受信するたびに、関連するSDUに再構成しようとする。従来の技術によって、受信側はシーケンス番号6、7、9に対応する３つのPDUを受信した後、SDU2が再構成されたが、シーケンス番号9のPDUはバッファーから削除されることができない。受信側はまたシーケンス番号8に対応するPDUを受信した後、SDU1に再構成し且つSDU2に再度再構成する。これにより、同一のクリティカルでない情報を繰り返し再構成し、且つ上位層に繰り返し送信し、上位層の処理エラーを招く。
【００７０】
本発明の方案において、受信された各PDUに対して繰り返し検出を行い、SDU終了位置標識を含むPDU、例えば、シーケンス番号9に対応するPDUに対して、当該PDU内のSDUが既に再構成されたことを見付けたら、受信側はシーケンス番号8に対応するPDUを受信した後、ただシーケンス番号9に対応するPDU内のSDU終了位置標識とシーケンス番号6、7、8の３つのPDU内のSDU1セグメントとをSDU1に共同で再構成し、SDU2に対しては再度再構成しない。ここで、各PDU内の関連するSDUが再構成されたか否かを如何に知るかについて、従来技術に属し、相応の標識を設定するなどの方式を採用することができ、ここではこれに対して詳しく述べない。
【００７１】
さらに、クリティカルでない情報SDUについて、第１回正しく受信された関連するPDUのみに対して再構成操作を行うことを要求してもよい。SDU終了位置標識を含むPDUが正しく受信される前に、このPDUの後に送信したPDUが既に受信されたら、その後前記SDU終了位置標識を含むPDUが受信されても、当該PDUは処理されない。例えば、シーケンス番号6、7、8の３つのPDUにカプセル化されたものがSDU1のすべてのセグメントであり、シーケンス番号9のPDUにカプセル化されたものがSDU1のSDU終了位置標識とSDU2のセグメントであり、シーケンス番号10のPDUにカプセル化されたものがSDU3のセグメントである。シーケンス番号6、7、8の３つのPDUを受信した後、まずシーケンス番号10のPDUが受信されたら、その後シーケンス番号9のPDUが受信されても、SDU2を再構成しない。
【００７２】
実際の応用において、UMモードでプロトコルデータユニット（PDU）の伝送を実現する機能エンティティは、プロトコルデータユニットをスケジューリングし且つ送信する送信UM RLCエンティティ（Transimitting UM RLC entity）と、受信されたプロトコルデータユニットを受信し且つ再構成する受信UM RLCエンティティ（Receiving UM RLC entity）との２つの対等する部分を含む。一般的には、送信UM RLCエンティティはUTRAN側にあり、受信UM RLCエンティティはUE側にあり、送信UM RLCエンティティと受信UM RLCエンティティは無線インターフェースUu（Radio Interface Uu）を通じて遣り取りする。
【００７３】
送信UM RLCエンティティと受信UM RLCエンティティとの具体的な構成は図９に示すとおりである。送信UM RLCエンティティは、サービスデータユニット（SDU）を格納する送信バッファー（Transmission buffer）と、受信されたUMD SDUに対してセグメンテーションと連結処理を行い且つPDUを構成し、また充填処理を行う可能性があるセグメンテーションと連結処理手段（Segmentation& Concatenation）と、送信しようとするPDUにRLCヘッダを付加するRLCヘッダ追加処理手段（Add RLC header）を含む。受信UM RLCエンティティは、繰り返し検出とUMD PDUに対する再配列とを行う繰り返し回避と再配列手段（Duplicate avoidance and reordering）と、受信されたPDUをバッファリングする受信バッファー（Reception buffer）と、受信されたPDUに付加したRLCヘッダを削除するRLCヘッダ削除処理手段（Remove RLC header）と、受信されたPDUをSDUに再構成し、そして構成した後のPDUを上位層に提出する再構成手段とを含む。
【００７４】
本発明の前記セグメンテーションと連結方法を実現するため、本発明は図９に示すような送信UM RLCエンティティに対して改良を行い、これによって送信機（Transmitter）を提出している。当該送信機の構成は図１０に示すように、SDUを格納する送信バッファー（Transmission buffer）と、送信しようとするPDUにRLCヘッダを付加するRLCヘッダ追加処理手段と、異なるタイプのSDUを異なるPDUにカプセル化して送信する原則によって、受信されたSDUに対してセグメンテーションと連結処理をしてPDUに構成し、具体的には、カプセル化しようとするSDU情報と現在のPDUに既にカプセル化したSDU情報とのタイプが一致であるか否かを判断し、タイプが一致であれば現在のPDUにカプセル化し、タイプが一致でなければほかのPDUにカプセル化するセグメンテーションと連結処理手段とを含む。ここで、前記SDU情報はSDUの１つのセグメントであり、或いはSDU終了位置標識であり、或いは両者の組み合せである。
【００７５】
上記方案は、GPRS、EDGE、WCDMA、TD-SCDMAなどの無線通信システムに適用する。上記に述べたのは、本発明の好ましい実施例にすぎず、本発明の保護範囲を限定するものではない。
【図面の簡単な説明】
【００７６】
【図１】ブロードキャスト・マルチキャストサービスをサポートする無線ネットワーク構成を示す図である。
【図２】MBMSマルチキャストモードのサービスのフローチャートである。
【図３】MBMSブロードキャストモードのサービスのフローチャートである。
【図４】MCCH情報の伝送スケジューリングを示す図である。
【図５】MCCHのプロトコルスタックの構成図である。
【図６】MAC層のロジックチャネルと物理層のFACHチャネルとのマッピング関係を示す図である。
【図７】MBMS制御情報の伝送方式を示す図である。
【図８】本発明の方法における送信側の処理フローチャートである。
【図９】RLC UM機能エンティティの構成を示す図である。
【図１０】は本発明に係る送信機の構成を示す図である。
【符号の説明】
【００７７】
１０１  ブロードキャスト・マルチキャストサービスセンター
１０２  TPFゲートウエイ GPRSサポートノード
１０３  サービスGPRSサポートノード
１０４  ユニバーサルモバイル通信システム地上無線アクセスネットワーク
１０５  グローバルモバイル通信システム無線アクセスネットワーク
１０６  ユーザ端末
１０７  ユーザ端末
【図１】
2008522513.tif 000013
【図２】
2008522513.tif 000014
【図３】
2008522513.tif 000015
【図４】
2008522513.tif 000016
【図５】
2008522513.tif 000017
【図６】
2008522513.tif 000018
【図７】
2008522513.tif 000019
【図８】
2008522513.tif 000020
【図９】
2008522513.tif 000021
【図１０】
2008522513.tif 000022
【手続補正書】
【提出日】平成19年5月31日(2007.5.31)
【手続補正１】
【補正対象書類名】特許請求の範囲
【補正対象項目名】全文
【補正方法】変更
【補正の内容】
【特許請求の範囲】
【請求項１】
データのセグメンテーションと連結の方法であって、
第１プロトコルデータユニット（PDU）にカプセル化しようとするサービスデータユニット（SDU）情報のタイプが第１PDUにカプセル化されているSDU情報のタイプと同じであるか否かを判断し、同じである場合、カプセル化しようとするSDU情報を第１PDUにカプセル化して送信し、同じでない場合、現在カプセル化しようとするSDU情報を第２PDUにカプセル化して送信する、ことを含むことを特徴とする方法。
【請求項２】
前記SDU情報はSDUの１つのセグメント、或いはSDU終了位置標識、或いは両者の組み合せを含む、ことを特徴とする請求項１記載の方法。
【請求項３】
カプセル化しようとするSDU情報のタイプがカプセル化されているSDU情報のタイプと同じでない場合、SDU情報を含む第１PDUを送信し、または、第１PDUに含まれているSDU情報と異なるタイプのSDU情報を含む第２PDUを送信することをさらに含む、ことを特徴とする請求項１記載の方法。
【請求項４】
前記第１PDUにパディングビットをカプセル化することをさらに含む、ことを特徴とする請求項１記載の方法。
【請求項５】
前記第１PDUにカプセル化しようとするSDU情報は第２タイプSDUの１つのセグメントであり、前記第１PDUにカプセル化されているSDU情報は第１タイプSDUの終了位置標識である、ことを特徴とする請求項１記載の方法。
【請求項６】
前記第１タイプSDUの終了位置標識は、前記第１タイプSDUの終了位置標識がカプセル化されている第１PDUの第１長さ指示子フィールドの値である、ことを特徴とする請求項５記載の方法。
【請求項７】
前記第１タイプSDUの終了位置標識を含む第１PDUを、第２タイプSDUの第１セグメントを含む第２PDUより先に送信し、または、まず第２タイプSDUのセグメントを含む全部のPDUを送信した後、第１タイプSDUの終了位置標識を含む第１PDUを送信する、ことを特徴とする請求項５記載の方法。
【請求項８】
前記第１タイプSDUの終了位置標識を含む第１PDUにパディングビットをカプセル化し、或いは、前記第１タイプSDUの終了位置標識を含む第１PDUにほかの第１タイプSDUの１つのセグメントをカプセル化することをさらに含む、ことを特徴とする請求項５記載の方法。
【請求項９】
前記SDU情報は、再伝送する必要があるSDUと再伝送する必要がないSDUとを含む、ことを特徴とする請求項１〜請求項８のいずれか１項に記載の方法。
【請求項１０】
前記SDU情報はMBMS制御情報におけるクリティカルな情報とクリティカルでない情報とを含む、ことを特徴とする請求項１〜請求項８のいずれか１項に記載の方法。
【請求項１１】
前記SDU終了位置標識は長さ指示子フィールドの特別値0000000、或いは長さ指示子フィールドの特別値000000000000000、或いは長さ指示子フィールドの特別値111111111111011を含む、ことを特徴とする請求項２、５、６、７または８に記載の方法。
【請求項１２】
データの再構成の方法であって、
SDU終了位置標識を含む第１PDU内のSDUセグメントが既に再構成されたか否かを判断し、再構成された場合、前記SDU終了位置標識を含む第１PDU内のSDUセグメントに対する再構成を行わないことを含む、ことを特徴とするこの方法。
【請求項１３】
SDU終了位置標識を含む第１PDU内のセグメントが既に再構成されたか否かを判断する前に、SDU終了位置標識を含む第１PDUの後に送信した第２PDUを第１PDUの前に既に受信したか否かを判断し、第２PDUを第１PDUの前に既に受信した場合、第１PDU内のSDUセグメントに対する再構成を行わないことをさらに含む、
ことを特徴とする請求項１２に記載の方法。
【請求項１４】
前記SDU終了位置標識は長さ指示子フィールドの特別値0000000、或いは長さ指示子フィールドの特別値000000000000000、或いは長さ指示子フィールドの特別値111111111111011を含む、ことを特徴とする請求項１２または請求項１３に記載の方法。
【請求項１５】
送信機であって、
サービスデータユニット（SDU）を格納する送信バッファーと、
送信しようとする第１PDUにRLCヘッダを付加するRLCヘッダ追加処理手段と、
異なるタイプのSDU情報を異なるPDUにカプセル化して送信する原則によって、受信したSDUに対してセグメンテーションと連結処理を行ってPDUに構成するセグメンテーションと連結処理手段とを含む、
ことを特徴とする送信機。
【請求項１６】
前記SDU情報はSDUの１つのセグメント、或いはSDU終了位置標識、或いは両者の組み合せを含む、ことを特徴とする請求項１５に記載の方法。
【手続補正２】
【補正対象書類名】明細書
【補正対象項目名】００３４
【補正方法】変更
【補正の内容】
【００３４】
上記方案において、カプセル化しようとするSDU情報のタイプがカプセル化されているSDU情報のタイプと同じでない場合、SDU情報を含む第１PDUを送信し、または、第１PDUに含まれているSDU情報と異なるタイプのSDU情報を含む第２PDUを送信することをさらに含む。
【手続補正３】
【補正対象書類名】明細書
【補正対象項目名】００４５
【補正方法】変更
【補正の内容】
【００４５】
本発明において、送信側がデータのセグメンテーションと連結を行うプロセスは図８に示すように、以下のステップを含む。
【手続補正４】
【補正対象書類名】明細書
【補正対象項目名】００７３
【補正方法】変更
【補正の内容】
【００７３】
送信UM RLCエンティティと受信UM RLCエンティティとの具体的な構成は図９に示すとおりである。送信UM RLCエンティティは、サービスデータユニット（SDU）を格納する送信バッファー（Transmission buffer）と、受信されたUMD SDUに対してセグメンテーションと連結処理を行い且つPDUを構成し、また充填処理を行う可能性があるセグメンテーションと連結処理手段（Segmentation& Concatenation）と、送信しようとするPDUにRLCヘッダを付加するRLCヘッダ追加処理手段（Add RLC header）を含む。受信UM RLCエンティティは、繰り返し検出とUMD PDUに対する再配列とを行う繰り返し回避と再配列手段（Duplicate avoidance and reordering）と、受信されたPDUをバッファリングする受信バッファー（Reception buffer）と、受信されたPDUに付加したRLCヘッダを削除するRLCヘッダ削除処理手段（Remove RLC header）と、受信されたPDUをSDUに再構成し、そして構成した後のSDUを上位層に提出する再構成手段とを含む。
【国際調査報告】
2008522513.tif 000023
2008522513.tif 000024
2008522513.tif 000025
2008522513.tif 000026